(57)【要約】      （修正有）【課題】熱風炉蓄熱室の部分改修工事の期間を短縮し、かつ省力化が可能な、熱風炉蓄熱室の部分改修工事方法を提供する。【解決手段】熱風炉蓄熱室３の一部分の煉瓦を改修するにあたり、改修部の煉瓦を解体する前に、蓄熱室３のギッター煉瓦２のカナール孔２０に、流動性に優れた粒子状物質を注入し、前記改修されない蓄熱室３の一部分におけるギッター煉瓦２のカナール孔２０を封止することにより、ギッター煉瓦２解体時に発生する煉瓦屑が非改修部のカナール孔２０に落下し孔を閉塞することを容易にかつ確実に防止できる。【選択図】図１
2010255077.tif 000002
【特許請求の範囲】
【請求項１】
熱風炉の蓄熱室の一部分を改修する部分改修工事方法であって、改修される前記蓄熱室の一部分の煉瓦を解体する前に、改修されない前記蓄熱室の一部分のギッター煉瓦のカナール孔に、流動性に優れた粒子状物質を注入し、前記改修されない蓄熱室の一部分におけるギッター煉瓦のカナール孔を閉塞することを特徴とする熱風炉蓄熱室の部分改修工事方法。
【発明の詳細な説明】
【技術分野】
【０００１】
本発明は、熱風炉蓄熱室の部分改修工事方法に係り、とくに残存させるギッター煉瓦のカナール孔の保護に関する。
【背景技術】
【０００２】
熱風炉蓄熱室の改修工事では、従来、蓄熱室の煉瓦全体を解体し、煉瓦全体を煉瓦積みしなおす工事が一般的に行われていた。しかし、近年、煉瓦の再利用技術の向上により、損傷の激しい、すなわち蓄熱室中段以上または上段を改修する、図４に示すような、部分改修工事が一般的になっている。
熱風炉蓄熱室の部分改修工事では、改修時に上部の煉瓦屑が、残存させる下部の、非改修部ギッター煉瓦2aのカナール孔に入り、該カナール孔を閉塞させることがある。熱風炉蓄熱室の熱交換能は、ギッター煉瓦のカナール孔の開孔率によって決定されるため、カナール孔の閉塞は、蓄熱室の熱交換能の低下を招くことになる。そのため、熱風炉蓄熱室の部分改修工事では、煉瓦を残存させる非改修部のギッター煉瓦2aのカナール孔20の保護が重要となる。
【０００３】
そこで、従来は、ギッター煉瓦の上端面2ba1に、保護板を設置して、ドーム４の上部壁又は上部側壁煉瓦4aを解体し、改修に際し上部で発生する煉瓦屑を保護板上に集め、上部壁又は上部側壁煉瓦4aの解体終了後、その保護板上に集まった煉瓦屑を除去し、ついでギッター煉瓦2baを解体し取り除くという工程を、下部の非改修部のギッター煉瓦2aの上端面2a1まで繰り返す、部分改修工事方法が採用されていた。しかし、この工事方法では、上部壁又は上部側壁煉瓦4aの解体に際し発生する煉瓦屑は除去できても、ギッター煉瓦2ba、2bb，‥、2bf自体の解体に際し発生する煉瓦屑の下部への落下を防止することはできないため、ギッター煉瓦2ba、2bb，‥、2bf解体時に発生した煉瓦屑が、下部の非改修部ギッター煉瓦2aのカナール孔に落下し該カナール孔を閉塞させるという問題が頻発した。このため、部分改修工事終了後に、さらにカナール孔の開孔工事を行う必要があった。カナール孔の開孔工事は、カナール孔数が多いこともあり、多大の時間と労力を必要とした。
【０００４】
このような問題に対し、例えば、特許文献１には、図３に示すように、予め、熱風炉蓄熱室のギッター煉瓦2b最上段から、弾力性があり自在に変形する、ゴム、スポンジ、コンデンサー等製の栓30を分銅31等の重しとともに、ワイヤー32等で下降させ、改修部最下段のギッター煉瓦2bfのカナール孔20に、嵌入し、分銅等の重しをワイヤで回収する、熱風炉蓄熱室部分改修工事方法が開示されている。33はストッパーである。
【０００５】
特許文献１に記載された技術によれば、従来に比べて改修工事期間を短縮できるうえ、非改修部ギッター煉瓦のカナール孔の閉塞による熱交換能の低下を防止できるとしている。
また、特許文献２には、予め、蓄熱室のギッター煉瓦のカナール孔に、不定系材注入用のノズルを挿入し、発泡性不定形材を注入し発砲させて、改修される蓄熱室の一部分における最下段ギッター煉瓦のカナール孔を閉塞させる熱風炉蓄熱室の部分改修工事方法が記載されている。
【先行技術文献】
【特許文献】
【０００６】
【特許文献１】特許第3276978号公報
【特許文献２】特開2008−202129号公報
【発明の概要】
【発明が解決しようとする課題】
【０００７】
特許文献１に記載された技術では、熱風炉蓄熱室煉瓦の解体前に予め、弾力性があり自在に変形する栓をギッター煉瓦の最上段から、分銅等の重しとともにワイヤー等で、カナール孔内を下降させ、改修部の最下段ギッター煉瓦の下端面に嵌入する必要がある。しかし、最近では、改修部分が多くなり、蓄熱室ギッター煉瓦の最上段から改修部ギッター煉瓦の下端面までの距離が長くなり、栓をワイヤー等で、カナール孔内を下降させ、改修部の最下段ギッター煉瓦の下端面に嵌入する作業が困難となる場合が多くなっていた。というのは、改修すべき熱風炉蓄熱室ギッター煉瓦のカナール孔は、使用時の熱応力等により煉瓦のずれが生じ、必ずしも真直ぐのままであるとは限らない。このため、栓をワイヤー等で、カナール孔内を下降させ、所定の位置に停止させ、改修部ギッター煉瓦のカナール孔を封止する作業は、成功率が低下し、煉瓦解体後の閉塞したカナール孔の開孔工事に多大の時間と労力を必要とするという問題が生じていた。
【０００８】
また、特許文献２に記載された技術では、多量の発泡性不定形材を用いる必要があり、施工コストの高騰を招くという問題が生じている。
本発明は、上記した従来技術の問題に鑑みて、熱風炉蓄熱室の部分改修工事の期間を短縮し、かつ省力化が可能な、熱風炉蓄熱室の部分改修工事方法を提供することを目的とする。
【課題を解決するための手段】
【０００９】
本発明者らは、上記した課題を達成するため、熱風炉蓄熱室の部分改修工事において、非改修部ギッター煉瓦のカナール孔の閉塞防止を簡便にしかも確実に行える方策について、鋭意研究した。その結果、非改修部ギッター煉瓦のカナール孔を予め、流動性に優れた砂で閉塞状態にしておくことが、作業上簡便で、改修時の煉瓦屑の落下による非改修部ギッター煉瓦のカナール孔の閉塞を容易にしかも確実に防止することができることに想到した。なお、改修作業が完了したのち、改修時カナール孔内に留め置かれた砂は、流動性に優れているため、閉止板等を取り外すことにより、容易にカナール孔下部の蓄熱室下側に流れ落ち、カナール孔内に残留することはなく、流れ落ちた砂は、蓄熱室下側からバキュームカー等により容易に回収可能であることを見出した。
【００１０】
本発明は、かかる知見に基づき、さらに検討を加えて完成されたものである。すなわち、本発明の要旨は次のとおりである。
（１）熱風炉の蓄熱室の一部分を改修する部分改修工事方法であって、改修される前記蓄熱室の一部分の煉瓦を解体する前に、改修されない前記蓄熱室の一部分のギッター煉瓦のカナール孔に、流動性に優れた粒子状物質を注入し、前記改修されない蓄熱室の一部分におけるギッター煉瓦のカナール孔を閉塞することを特徴とする熱風炉蓄熱室の部分改修工事方法。
【発明の効果】
【００１１】
本発明によれば、熱風炉蓄熱室の部分改修工事に際し、非改修部ギッター煉瓦のカナール孔の閉塞を容易に、しかも確実に防止できるため、工事期間の短縮および工事の省力化が達成でき、産業上格段の効果を奏する。
【図面の簡単な説明】
【００１２】
【図１】本発明の方法を模式的に示す断面図である。
【図２】ギッター煉瓦の概要を模式的に示す平面図である。
【図３】従来の方法を模式的に示す説明図である。
【図４】熱風炉蓄熱室の部分改修工事の概要を模式的に示す断面図である。
【発明を実施するための形態】
【００１３】
本発明は、図１に示すように、熱風炉の蓄熱室３の一部分を改修する部分改修工事方法である。本発明では、改修される蓄熱室の一部分、すなわち改修部の煉瓦を解体する前に、予め、非改修部のギッター煉瓦2aのカナール孔20を閉塞状態としておく。非改修部ギッター煉瓦2aのカナール孔20を予め閉塞状態とするために、本発明では、流動性に優れた粒子状物質１を用いる。本発明で流動性に優れた粒子状物質１を用いる理由は、砂等の流動性に優れた粒子状物質であれば、ホッパーから空気圧圧送ホース等で、カナール孔の所定の位置まで容易に送給でき、しかもカナール孔20の下部に閉止板を設置しておけば、カナール孔20の所望の高さ位置まで容易に注入でき、非改修部ギッター煉瓦2aのカナール孔20を隙間無く、確実に封止状態とすることができるからである。
【００１４】
本発明で使用する流動性に優れた粒子状物質１としては、送給可能な流動性を有し、しかも、カナール孔内壁との間を隙間なく容易に充填できるものであれば、その種類はとくに限定されないが、砂、ペレット等とすることが、経済性、作業性の観点から好ましい。このような材料であれば、下部に設置した閉止板を撤去すれば、簡単に下部に流出し、非改修部のカナ−ル孔の完全閉塞という問題は生じない。しかも、安価である。
【００１５】
本発明では、上記した粒子状物質１を、ホッパー等の貯槽11から、可撓性に富む導管（フレキシブルパイプ）12を介して、改修部最上段ギッター煉瓦2baのカナール孔20から、非改修部ギッター煉瓦2aのカナール孔20を充填できる量だけ注入する。なお、非改修部ギッター煉瓦2aの下部には閉止板を設置し、注入された粒子状物質が非改修部ギッター煉瓦2aの下部に流出しないようにしておくことは言うまでもない。この作業をカナール孔全てについて行う。流動性に優れた粒子状物質を使用することにより、フレキシブルパイプ12の先端を移動するだけで、全てのカナール孔の封止が可能となり、作業性が向上する。なお、フレキシブルパイプ12または圧送設備（図示せず）には、注入量を測定する計測器および注入量の制御手段（図示せず）が付設されていることが好ましいのは言うまでもない。
【００１６】
この方法によれば、蓄熱室ギッター煉瓦の最上段から改修部ギッター煉瓦の下端面までの距離が長くなっても、また、多少の曲がりや、段差があっても、注入する粒状物質が流動性に富むため、非改修部ギッター煉瓦2aのカナール孔20を容易に充填できる。なお、煉瓦解体後に、閉止板200を撤去し、非改修部ギッター煉瓦のカナ−ル孔を封止状態としていた砂を下部に排出する。排出された砂は、真空式の吸引装置等の排出装置201で容易に系外に排出できる。
【実施例】
【００１７】
図１に示すように、蓄熱室下部のギッター煉瓦の一部分を非改修部2aとし、上部のギッター煉瓦2b、およびドーム４の上部壁または上部側壁4aを改修部として、煉瓦の解体を行う、部分改修工事を行った。煉瓦の解体を行う前に、非改修部ギッター煉瓦2aの下端面に閉止板200を設置しておき、改修部最上段ギッター煉瓦2baのカナール孔20の上端から、非改修部ギッター煉瓦2aのカナール孔20を完全に充填できる量の砂を注入した。砂は、貯槽11からフレキシブルパイプ12を介してカナール孔20に注入した。
【００１８】
上記した工程を、蓄熱室ギッター煉瓦のカナ−ル孔全部について行った。
この作業を完了したのち、改修部の煉瓦解体を行った。煉瓦解体後に、閉止板200を撤去し、非改修部ギッター煉瓦のカナ−ル孔を封止状態としていた砂を下部に排出した。非改修部ギッター煉瓦のカナ−ル孔の新たな閉塞は皆無であった。なお、排出された砂１は、真空式吸引装置等の排出装置201で系外に排出した。
【００１９】
なお、図３に示す方法による部分改修工事を基準として、部分改修工事の所要期間、作業の所要人数を比較すると、所要時間が従来例の１／３であり、作業人員は１／４であった。本発明の部分改修工事方法が、工事期間の短縮および工事の省力化に有効であることがわかる。 
【符号の説明】
【００２０】
１     粒子状物質（砂）
２     ギッター煉瓦
２ａ   非改修部ギッター煉瓦
２ｂ   改修部ギッター煉瓦
2ba1、2bb1  改修部ギッター煉瓦の上端面
2bf2    改修部ギッター煉瓦の最下面
2ba、2bb、2bf  改修部ギッター煉瓦
2a1    非改修部ギッター煉瓦の上端面
３     蓄熱室
４     熱風炉ドーム
4a   上部壁又は上部側壁煉瓦
５     燃焼室
11     貯槽
12    フレキシブルパイプ（フレキシブル導管）
20    カナ−ル孔
30     栓
31    分銅
32    ワイヤ
33     ストッパー
200    閉止板
201    排出装置
【図１】
2010255077.tif 000003
【図２】
2010255077.tif 000004
【図３】
2010255077.tif 000005
【図４】
2010255077.tif 000006